(57)【要約】      （修正有）【課題】一般家庭の料理の盛り皿の冷蔵庫内での保管に関して、料理へのダスト付着防止、料理への冷蔵庫臭付着防止、さらに冷蔵庫内の保管スペ−スを生む事が出来るようになり、しかも料理の味を落とさず、味が変化しないように工夫した透明皿蓋を提供する。【解決手段】この皿蓋は料理が付着しないように料理と蓋に程よい空間を作るように制作する。皿の円周の淵の外側に被せるように、水平に置く事によりしっかり固定され蓋が料理に付着する事なく、安定した皿蓋となり、２段３段と重ね置きが出来るようになる。又、何回か使用しているうちに汚れてきた場合は、水や洗剤で洗えば清潔になり、半永久的に使用可能である。皿蓋の電子レンジ使用可能な耐熱温度を８０℃以上で２５０℃以下の透明のアクリル製の品質のものにする。【選択図】図２
0003146931.tif 000002
【実用新案登録請求の範囲】
【請求項１】
料理の盛り皿を冷蔵庫に保管する場合に現在のビニ−ルラップ等でなく、円形で透明樹脂製の蓋を皿の上に覆う形で置く事で、料理にダストや冷蔵庫臭の付着を防止し、さらに冷蔵庫内に皿を２段３段と重ね置きが出来、非常に収納を良くするものである。
蓋取って部の水平面は特に重要な要素であり、この水平面により積み重ねが出来る事になる。
この蓋は平面図では円形であるが、側面図ではすり鉢やステンレスボ−ルを逆に伏せた台形型で、この形に上部に掴み部を付けて、皿への取付け取り外しを容易にしたものである。
この蓋は円形で、円周の直径が５ｃｍより６０ｃｍ。
蓋の下部より蓋の取って部水平面迄の高さが１ｃｍより５０ｃｍ。
蓋取って部の水平面の外周の円周は直径１ｃｍより５０ｃｍ。
蓋取って部は取って部のみの深さ（取っての掴みしろ高さ）が、０，１ｃｍより３０ｃｍ。
蓋取って部の水平部の溝の円周（水平面の内周の円周）は直径１ｃｍより４０ｃｍ。
蓋取って部の掴み部分の樹脂の厚さ（幅）は０，１ｃｍより１５ｃｍ。
蓋取って部の掴み部分以外の樹脂の厚さは０，０１ｃｍより４ｃｍ。
皿蓋の平面図の最外周部線より、蓋取って部の水平面外周部の円周線までの立ち上がり曲面は、側面図で蓋底部中央線及び、蓋底部線より円弧を描く曲線面及び、すべての円弧を含む曲線面。
この円弧の曲線面は、皿に蓋をした時に皿にしっかり固定して蓋ができる要素である。
この要素は上記曲線面同様、直線面でも可能である。
この蓋は透明の塩化ビニ−ル製及び、アクリル製のものとする。透明とするのは、皿に蓋をした後で、皿の中が見えて確認できる事が、使い勝手上重要な要素である。
電子レンジ対応のものはアクリル製で、耐熱温度は８０℃以上で２５０℃以下の品質のものとする。
【考案の詳細な説明】
【技術分野】
【０００１】  本実用新案は、一般家庭の料理の盛り皿の冷蔵庫内での保管に関して、料理へのダスト付着防止、料理への冷蔵庫臭付着防止、さらに冷蔵庫内の保管スペ−ス（２段３段の重ね置き）を生む事が出来るようになり、しかも料理の味を落とさず、味が変化しないように工夫した蓋に関する。
個人的には、この蓋は材質的にも量産的にも製造は難しいが、企業及び工業化によって製造可能となる。いままで生産されることなくきているが、この透明皿蓋が一般家庭に普及すれば社会貢献省エネ効果も大きい皿蓋に関する。
【背景技術】
【０００２】  従来、料理を盛った皿や、皿に残った料理を冷蔵庫に保管するには、皿にビニ−ルラップを被せるようにして、ダストや冷蔵庫臭の付着を防いでいたが、ビニ−ルラップの使用後の破棄等の無駄が多く、ビニ−ルラップの使い勝手が良くなく、手数が掛かり不便であった。
現在ある皿の蓋は、レストラン等にある金属製のもので、しかも半円形のド−ム型の形状のものであり、料理の保温やダスト及び虫等の防徐はできるが、冷蔵庫内での保管は出来ず、電子レンジに皿蓋ごとかける事が出来ない。
【考案の開示】
【考案が解決しようとする課題】
【０００３】  従来のビニ−ルラップでは、盛り皿の料理にビニ−ルラップをして保管して居り、そのラップに料理が付着してしまうためその都度ラップを使い捨てをして居り、資源を無駄にした使い方をしていた。しかし再度使う場合や、使う人もあるが不潔であり、又使うとなるとラップの水を切ったり、乾燥させないと使えず、手間も掛かっている状態であり、２〜３回使うも結局は廃棄するに至っている。
現在ある皿の蓋は、レストラン等にある金属製のもので、しかも半円形のド−ム型の形状のものであり、料理の保温やダスト及び虫等の防徐はできるが、冷蔵庫内での保管は嵩張り出来ない。もちろん皿の２段３段の重ね置きも出来ず、電子レンジに蓋ごとかける事が出来ない。
又、従来のビニ−ルラップは、電子レンジにの熱に弱いものもあり、料理に溶けて、人体への健康被害が問題である。
【課題を解決するための手段】
【０００４】  この皿蓋は料理が付着しないように料理と蓋に程よい空間を作るように制作する事が重要である。皿には円形のもの正方形のもの長方形のものと、各種様々のものがあるが、この皿蓋に最も適した料理皿は、円形の皿である。
直径が２０ｃｍ、２５ｃｍ、３０ｃｍの円形の皿の円周の淵の外側に被せるように、水平に置く事により、しっかり固定され蓋が料理に付着する事なく、安定した皿蓋となり、２段３段と重ね置きが出来るようになる。
皿の寸法が皿蓋に合わない場合は、皿の淵の内側に置く様にすれば良い。
又、正方形や長方形の皿の場合、１辺が１０ｃｍ以上５０ｃｍ以内の正方形及び長方形の皿の場合でも、皿蓋の置き方は円形の皿蓋と同様に、皿の淵の内側に置く様にすれば良い。
又、何回か使用しているうちに汚れてきた場合は、水や洗剤で洗えば清潔になり、半永久的に使用可能である。
従来のビニ−ルラップは、電子レンジにの熱に弱いものもあり、料理に溶けて人体への健康被害が問題だが、この点を解決するには電子レンジ使用可能な耐熱温度を８０℃以上で２５０℃以下の透明のアクリル製の品質のものにすれば良い。
【考案の効果】
【０００５】  上述したように本考案の皿蓋は、出来上がった料理を保管する場合でも、食事後に食べ切れず残った料理を冷蔵庫に保管する際でも、現在はビニ−ルラップで皿を覆っているがこの皿蓋を被せるだけで、ダストや冷蔵庫臭も付かなくなり、しかも冷蔵庫に２段３段と積み重ねが出来、非常に使いやすく便利である。
ビニ−ルラップは１回使用すると料理がラップに付着してしまい清潔でないので、１回か２回使用して廃棄処分するか、水洗いして乾燥させて何回か使用するも手間が掛かり、結局は廃棄処分となるが、この皿蓋は使い捨てでなく、何回か使用しているうちに汚れてきた場合は、水や洗剤で洗えば清潔になり、半永久的に使用可能でありしかも資源の無駄もなくなり、省エネに貢献する事となる。
又、現在ある皿の蓋はレストラン等にある金属製のもので半円形のド−ム型の形状のものがあるが、冷蔵庫内での保管は嵩張り出来ない。もちろん皿の２段３段の重ね置きも出来ず、電子レンジに蓋ごとかける事も出来ない。
上述のように本考案の皿蓋は、この皿蓋を皿に被せる事により冷蔵庫内での２段３段置きが出来、電子レンジには使用可能な耐熱温度を８０℃以上で２５０℃以下の透明のアクリル製の品質のもので可能である。
【考案を実施するための最良の形態】
【０００６】  この皿蓋は料理が付着しないように料理と蓋に程よい空間を作るように制作する事が重要である。皿には円形のもの正方形のもの長方形のものと、各種様々のものがあるが、この皿蓋に最も適した料理皿は、円形の皿である。
直径が２０ｃｍ、２５ｃｍ、３０ｃｍの円形の皿の円周の淵の外側に被せるように、水平に置く事により、しっかり固定され蓋が料理に付着する事なく、安定した皿蓋となり、２段３段と重ね置きが出来るようになる。
皿の寸法が皿蓋に合わない場合は、皿の淵の内側に置く様にすれば良い。
又、正方形や長方形の皿の場合、１辺が１０ｃｍ以上５０ｃｍ以内の正方形及び長方形の皿の場合でも、皿蓋の置き方は円形の皿蓋と同様に、皿の淵の内側に置く様にすれば良い。
又、何回か使用しているうちに汚れてきた場合は、水や洗剤で洗えば清潔になり、半永久的に使用可能であり、使い捨てもなく資源の有効活用となる。
従来のビニ−ルラップは、電子レンジの熱に弱いものもあり、料理に溶けて人体への健康被害が問題だが、この点を解決するには電子レンジ使用可能な耐熱温度を、８０℃以上で２５０℃以下の透明のアクリル製の品質のものにすれば良い。
この皿蓋は一般の家庭や料理店でも使い勝手が非常に良いので、工業化で大量に生産出来るようにすれば、社会に普及し省エネに大きく貢献できる。
【図面の簡単な説明】
【０００７】
【図１】  本考案の実施形態を示す透明皿蓋の平面図
【図２】  同透明皿蓋の横から見た側面図
【図１】
0003146931.tif 000003
【図２】
0003146931.tif 000004
【手続補正書】
【提出日】平成20年8月29日(2008.8.29)
【手続補正１】
【補正対象書類名】実用新案登録請求の範囲
【補正対象項目名】全文
【補正方法】変更
【補正の内容】
【実用新案登録請求の範囲】
【請求項１】
料理の盛り皿を冷蔵庫に保管する場合にビニ−ルラップ等でなく、円形で透明樹脂製の蓋を皿の上に覆う形で置く事で、料理にダストや冷蔵庫臭の付着を防止し、さらに冷蔵庫内に皿を２段３段と重ね置きが出来るこの蓋は、平面図では円形であるが側面図ではすり鉢やステンレスボ−ルを逆に伏せた台形型で、この形に上部に掴み部を付けて皿への取り付け取り外しを容易にするためのものであって、以下形状と品質を個条書きにすると、
（１）この蓋は円形で、平面図での外円周の直径が５ｃｍより６０ｃｍ、
（２）蓋の下部より蓋の取って部水平面迄の高さが１ｃｍより５０ｃｍ、
（３）蓋取って部の水平面の外円周は直径１ｃｍより５０ｃｍ、
（４）蓋取って部は取って部の深さ（取っての掴みしろ高さ）が０．１ｃｍより３０ｃｍ、
（５）蓋取って部の水平部の溝の円周（水平面の内周の円周）は直径１ｃｍより４０ｃｍ、
（６）蓋取って部の掴み部分の樹脂の厚さ（幅）は０．１ｃｍより１５ｃｍ、
（７）蓋取って部の掴み部分以外の樹脂の厚さは０．０１ｃｍより４ｃｍ、
（８）皿蓋の平面図の最外周部線より、蓋取って部外周部までの立ち上がりは曲線面及び直線面、
（９）この蓋は透明の塩化ビニ−ル製及びアクリル製のもので、特に電子レンジ対応のものはアクリル製で、耐熱温度は８０℃以上で２５０℃以下の品質、
であることを特徴とする透明皿蓋。